(57)【要約】      （修正有）【課題】左右方向に１列に連結してシングルベッドに利用できる合成樹脂製ベッド兼用収納ケース及び付属ヘッドボード及びフットボードを安価に提供する。【解決手段】合成樹脂製ベッド兼用収納ケース３０は、合成樹脂製の収納ケース３１と該収納ケース３１内に出し入れする合成樹脂製の引出し部３２から成り、また該収納ケース３１には引出し開閉面を前面として、左右方向にのみ連結可能とする連結手段を設ける。また該収納ケース３１と同様に連結手段を設けた収納ケース付属ヘッドボード４３及びフットボード４４の長辺寸法Ｌ２を８５から１１５ｃｍの範囲（好ましくは９０から１１０ｃｍの範囲、更に好ましくは９５から１０５ｃｍの範囲）とする。該合成樹脂製ベッド兼用収納ケース３０を複数個相互に連結し、更にその端部に該収納ケース付属ヘッドボード４３及びフットボード４４を連結することでベッドを構成する。【選択図】図１０
2005193051.tif 000002
【特許請求の範囲】
【請求項１】
収納ケースと該収納ケース内に出し入れする引出し部から成り、該収納ケースの引出し開閉面を前面として左右方向に、複数の該収納ケースが相互に連結可能な連結手段を該収納ケースの左右の側面に設け、更に該収納ケースの奥行き寸法を８５から１１５ｃｍの範囲（好ましくは９０から１１０ｃｍの範囲、更に好ましくは９５から１０５ｃｍの範囲）としたことを特徴とする合成樹脂製ベッド兼用収納ケース。
【請求項２】
収納ケースの天板の上面に、引出し部の開閉方向と平行に複数のリブ、または複数の扁平状の凸部を成型したことを特徴とする請求項１記載の合成樹脂製ベッド兼用収納ケース。
【請求項３】
前記連結手段として、該収納ケースの引出し開閉面を前面として、左右の側面において、連結突起と該連結突起に係合する連結孔を横方向に交互に設け、更に左右それぞれの側面を正面視した場合に、該連結突起と該連結孔を同じ位置に配置したことを特徴とする請求項１から２いずれかに記載の合成樹脂製ベッド兼用収納ケース。
【請求項４】
前記連結手段として、該収納ケースの引出し開閉面を前面として、左右の側面において、連結溝と該連結溝に係合する連結レールを横方向に交互に設け、更に左右それぞれの側面を正面視した場合に、該連結溝と該連結レールを同じ位置に配置したことを特徴とする請求項１から２いずれかに記載の合成樹脂製ベッド兼用収納ケース。
【請求項５】
請求項３から４記載の収納ケースに設けた連結手段のいずれかを該収納ケースとの対向側面の片面にのみ、該収納ケースと相互に連結可能な連結手段を設け、更に長辺寸法を８５から１１５ｃｍの範囲（好ましくは９０から１１０ｃｍの範囲、更に好ましくは９５から１０５ｃｍの範囲）としたことを特徴とする該収納ケース付属ヘッドボードおよびフットボード。
【発明の詳細な説明】
【技術分野】
【０００１】本発明は、複数個連結しベッドとしても利用できる合成樹脂製ベッド兼用収納ケース及び付属ヘッドボード及びフットボードに関するものである。
【背景技術】
【０００２】従来から衣類や書籍等の物品を収納する合成樹脂製の収納ケースとして、縦に複数段の引出しを設けたものして、チェストや押し入れ内に設置し利用するものが知られている。【０００３】また組立家具の従来からの提案として、例えば図１１に示すように引出しユニット１と上蓋開閉ユニット２にそれぞれ高さ調整アジャスター３を取付けて、適宜組み合わせて全体としてベッドのフレーム（ベッド台）に利用できるものが知られている（例えば、特許文献１参照）。
その他の提案として、例えば図１２に示すように複数の引出しユニット１１を該引出しユニット１１に設けた係脱自在の接手によって、該引出しユニット１１を前後に２列並べてシングルベッドとし、更にその間に中央板部１２を挟んだ場合は、ダブルベッドに利用できるものが知られている（例えば、特許文献２参照）。
【特許文献１】実開昭６０−５０８５０号公報（ベッドのフレーム）
【特許文献２】実公昭３８−１２５２８号公報（たんすとしても利用できる組立式ベッド）
【発明の開示】
【発明が解決しようとする課題】
【０００４】しかしながら、上記した図１１で示した提案では、引出しユニット１と上蓋開閉ユニット２にそれぞれ高さ調整アジャスター３を取付けた該ユニットを適宜組み合わせて、全体としてベッドのフレーム（ベッド台）を構成している。その為、上蓋開閉式収納ユニット内に対して物品の出し入れの際には、逐一ユニット上のふとん・マットレス等を移動するか、折り曲げるなどの必要があり不便さを伴う。また該ユニットが床面と接する部分が、高さ調整アジャスター３の面積に限られている為、床面に係る抵抗が少なくなる。更に該引出しユニット１と該上蓋開閉ユニット２は、相互に密着されているだけで、何ら連結手段を設けていない。その結果として、引出しを開閉する際にユニットごと移動する恐れがあり、その他にも部品点数が増える為、組み立て作業の手間とコストが掛かる。【０００５】その他に上記した図１２で示した提案では、複数の引出しユニット１１を該ユニットに設けた係脱自在の接手によって、該ユニットを前後に２列並べてシングルベッドを構成し、更にその間に中央板部１２を挟んだ場合は、ダブルベッドを構成できる。その為にシングルベッド及びダブルベッドのいずれの場合も前列と後列に共に少なくとも２列の引出しユニットを組合わせる必要がある。その為に引出し開閉面を壁面から引出しの奥行き程度離さないと、物品の出し入れが満足にできず、狭い部屋での配置場所に十分な配慮を強いられ、使い勝手が悪いという問題点がある。【０００６】本発明は、上記の問題点を解決する為になされたもので、縦に複数段、積み重ねて利用できる引出し収納ケースを左右方向に複数個連結しベッドとして利用した場合に、引出しを開閉する際にユニットごと移動することがなく、物品の出し入れの際には、逐一ユニット上のふとん・マットレス等を移動するか、折り曲げるなどの必要がなく、また前後に２列以上並べることなく左右方向に１列に連結してシングルサイズのベッドとして利用できる。更に配置の際に部屋の壁面から離す必要がなく、狭い部屋でも配置場所に困らない。合成樹脂製ベッド兼用収納ケース及び付属ヘッドボード及びフットボードを提供することを目的としている。
【課題を解決するための手段】
【０００７】上記課題を解決するために、本発明の請求項１の合成樹脂製ベッド兼用収納ケースは、収納ケースと該収納ケース内に出し入れする引出し部から成り、該収納ケースの引出し開閉面を前面として左右方向に、複数の該収納ケースが相互に連結可能な連結手段を該収納ケースの左右の側面に設け、更に該収納ケースの奥行き寸法を８５から１１５ｃｍの範囲（好ましくは９０から１１０ｃｍの範囲、更に好ましくは９５から１０５ｃｍの範囲）としたことを特徴とする。【０００８】請求項２の合成樹脂製ベッド兼用収納ケースは、請求項１記載の合成樹脂製ベッド兼用収納ケース収納ケースにおいて、収納ケースの天板の上面に、引出し部の開閉方向と平行に複数のリブ、または複数の扁平状の凸部を成型したことを特徴とする。【０００９】請求項３の合成樹脂製ベッド兼用収納ケースは、請求項１から２いずれかに記載の合成樹脂製ベッド兼用収納ケースにおいて、前記連結手段として該収納ケースの引出し開閉面を前面として、左右の側面において、連結突起と該連結突起に係合する連結孔を横方向に交互に設け、更に左右それぞれの側面を正面視した場合に、該連結突起と該連結孔を同じ位置に配置したことを特徴とする。【００１０】請求項４の合成樹脂製ベッド兼用収納ケースは、請求項１から２いずれかに記載の合成樹脂製ベッド兼用収納ケースにおいて、前記連結手段として該収納ケースの引出し開閉面を前面として、左右の側面において、連結溝と該連結溝に係合する連結レールを横方向に交互に設け、更に左右それぞれの側面を正面視した場合に、該連結溝と該連結レールを同じ位置に配置したことを特徴とする。【００１１】請求項５の付属ヘッドボードおよびフットボードは、請求項３から４記載の収納ケースに設けた連結手段のいずれかを該収納ケースとの対向側面の片面にのみ該収納ケースと相互に連結可能な連結手段を設け、更に長辺寸法を８５から１１５ｃｍの範囲（好ましくは９０から１１０ｃｍの範囲、更に好ましくは９５から１０５ｃｍの範囲）としたことを特徴とする。
【発明の効果】
【００１２】本発明は、以上説明したように構成されているので、以下に記載されるような効果を奏する。【００１３】収納ケースと該収納ケース内に出し入れする引出し部から成り、該収納ケースの引出し開閉面を前面として左右方向に、複数の該収納ケースが相互に連結可能な連結手段を該収納ケースの左右の側面に設け、更に該収納ケースの奥行き寸法を８５から１１５ｃｍの範囲（好ましくは９０から１１０ｃｍの範囲、更に好ましくは９５から１０５ｃｍの範囲）としたことによって、前後に２列以上並べることなく左右方向に１列に連結してシングルサイズのベッドとして利用できる。また物品の出し入れの際には、逐一ユニット上のふとん・マットレス等を移動するか、折り曲げるなどの必要がない。更に引越しの際に分割して移動する作業が容易にできる。更に連結する収納ケースの数を適宜、増減してベッドの長辺寸法を段階的に変えることによって、成長期の子供の身長に合わせて容易に調整できる。また引出しを一方から開閉する為、配置の際に部屋の壁面から離す必要がなく、その結果として、部屋のスペースを節約できる。更に素材に合成樹脂を使用することによって、軽く丈夫にできる他、耐抗菌性の素材を用いることで清潔さを保つことができる。また必要に応じて水洗いが可能で、量産化に適し、安価に提供できる。【００１４】収納ケースの天板の上面に引出し部の開閉方向に平行に複数のリブ、または複数の扁平状の凸部を成型したことによって、収納ケースに敷布団・マットレス等をのせた時に通気が可能な隙間を確保できるので湿気を防止できる。また該リブ、または凸部が上からの荷重に対しての撓みを防止できる。【００１５】前記連結手段として、該収納ケースの引出し開閉面を前面として、左右の側面において、連結突起と該連結突起に係合する連結孔を横方向に交互に設け、更に左右それぞれの側面を正面視した場合に、該連結突起と該連結孔を同じ位置に配置したことで、複数の該収納ケースを連結する際に、それぞれの引出し開閉面を前面にして並べると相互に隣り合う収納ケースの一方の連結突起に他方の収納ケースの連結孔を必ず対向させることができる。更に複数個連結させた該収納ケースに収納ケース付属ヘッドボード及びフットボードを取付けてベッドにする際に、左右いずれの端部の面にも共通に取付けられる。その他に左右それぞれの側板が上記の要件を満たすことで同じ形状に成る為、部品数を減らすことができコストの削減につながる。また複数個の収納ケースを連結した状態では、収納ケース本体の重量と底面の床に接する面積が連結した数の分だけ増える為に、床面に係る抵抗が増し、その結果として、引き出しを開閉する際に、引き出しと共に収納ケースごと移動する恐れがなく、引き出しの開閉が容易にできる。【００１６】前記連結手段として、該収納ケースの引出し開閉面を前面として、左右の側面において、連結溝と該連結溝に係合する連結レールを横方向に交互に設け、更に左右それぞれの側面を正面視した場合に、該連結溝と該連結レールを同じ位置に配置したことで、複数の該収納ケースを連結する際に、それぞれの引出し開閉面を前面にして並べると相互に隣り合う収納ケースの一方の連結溝に他方の収納ケースの連結レールを必ず対向させることができる。更に複数個連結させた該収納ケースに収納ケース付属ヘッドボード及びフットボードを取付けてベッドにする際に、左右いずれの端部の面にも共通に取付けられる。その他に左右それぞれの側板が上記の要件を満たすことで同じ形状に成る為、部品数を減らすことができコストの削減につながる。また複数個の収納ケースを連結した状態では、収納ケース本体の重量と底面の床に接する面積が連結した数の分だけ増える為に、床面に係る抵抗が増し、その結果として、引き出しを開閉する際に、引き出しと共に収納ケースごと移動する恐れがなく、引き出しの開閉が容易にできる。【００１７】そして、該収納ケース付属ヘッドボード及びフットボードに前記連結手段の該連結突起と該連結孔または該連結溝と連結レールのいずれかを該収納ケースとの対向側面の片面にのみ該収納ケースと同様に横方向に交互に設けたことで複数個連結された該収納ケースの左右いずれの端部にも共通に連結できる。その為に収納ケースにヘッドボード及びフットボードを含んだ端部仕様を個別に製作しなくてよい。また端部の連結手段を隠蔽できる。更にベッドとしての実用性及び意匠性も付加できる。
【発明を実施するための最良の形態】
【００１８】本発明の実施の形態について図面を参照して説明すると、合成樹脂製ベッド兼用収納ケース３０は図１に示すように、合成樹脂製の収納ケース３１と該収納ケース３１内に出し入れする合成樹脂製の引出し部３２から成り、概収納ケース３１においては図３に示すように天板３３と左右２枚の側板３４と、更に底板３５から構成されている。また該収納ケース３１には引出し開閉面を前面として左右方向にのみ連結可能とする連結手段を設ける。更に該収納ケース３１の奥行き寸法Ｌ１は８５から１１５ｃｍの範囲（好ましくは９０から１１０ｃｍの範囲、更に好ましくは９５から１０５ｃｍの範囲）とする。そして引出し部３２は左右の側板、及び把手を含む前板、更に後板そして底板をすべて合成樹脂で一体成型し、奥行き寸法については収納ケースに収まる範囲であれば特に限定はしない。【００１９】収納ケース３１について図３に示される形態は、天板３３と側板３４、更に底板３５を別々に合成樹脂で成型し結合させて成るが、側板３４と底板３５については合成樹脂で一体成型しても良い。また左右の側板３４を図５に示すように、それぞれ複数の支柱３６に置き換えても良い。図５は左右にそれぞれ３本の支柱３６に置き換えた例を示すものである。【００２０】収納ケース３１の天板３３の上面には、図１に示すように引出し部３２の開閉方向と平行に複数のリブ３７または図２に示すように扁平状の凸部３８を複数個設けた形状とし、また裏側には補強として格子状にリブを設け樹脂で一体成型すると良い。【００２１】図１に示される形態は、連結手段として収納ケース３１の左右の側面３４において、連結突起３９と該連結突起３９に係合する連結孔４０を横方向に交互に設け、更に左右それぞれの側面を正面視した場合に、連結突起３９と連結孔４０を同じ位置に配置する。図１は二つずつ左右に配置した例を示すものである。【００２２】上記の連結手段を用いた場合は、二つの収納ケース３１を前面と後面をお互いに揃えて床に配置し、一方の収納ケース３１を僅かに持ち上げながら押し当てることで、図４に示すように連結孔４０に連結突起３９が挿入されて側面どうしが接し、更にその状態のまま下げることで連結でき、例えば引出し部３２を前後に出し入れしても持ち上げない限りは容易に外れない。また分割する場合においては、僅かに持ち上げながら引き離すことで分割できる。【００２３】図６に示される形態は、連結手段として収納ケースの左右の側面において、連結溝４１と該連結溝４１に係合する連結レール４２を横方向に交互に設け、更に左右それぞれの側面を正面視した場合に連結溝４１と連結レール４２を同じ位置に配置する。図６は一つずつ左右に配置した例を示すものである。【００２４】上記の連結手段を用いた場合は、図７に示すように、二つの収納ケース３１を前面と後面をお互いに揃えて床に配置し、一方の収納ケース３１だけを他方の収納ケース３１の天端まで持ち上げ連結溝４１に連結レール４２を連結レール４２には連結溝４１を挿入し、更にその状態のまま下げることで連結でき、例えば引出し部３２を前後に出し入れしても持ち上げない限りは容易に外れない。また分割する場合においては、一方の収納ケース３１だけを他方の収納ケース３１の天端まで持ち上げることで分割できる。【００２５】図８及び図９に示される形態は、収納ケース付属ヘッドボード４３及びフットボード４４にそれぞれ連結手段として、連結突起３９と該連結突起３９に係合する連結孔４０を設けた例であるが、連結手段については上記の収納ケース３１と同様に、他の連結手段として、連結溝４１と該連結溝４１に係合する連結レール４２を設けても良い。また収納ケース３１と同様の連結手段を片面のみに設け、素材には合成樹脂、または木材を使用すると良い。合成樹脂の場合はヘッドボード４３及びフットボード４４と連結手段を設けた形状を一体成型する。または木材で製作する場合はヘッドボード４３及びフットボード４４の形状に加工された材に金属、または樹脂で連結手段の部分を別に製作しビスまたは接着剤で固定する。また長辺寸法Ｌ２を８５から１１５ｃｍの範囲（好ましくは９０から１１０ｃｍの範囲、更に好ましくは９５から１０５ｃｍの範囲）とする。【００２６】図１０に示される形態は、５つの合成樹脂製ベッド兼用収納ケース３０を相互に連結し、更にその端部に収納ケース付属ヘッドボード４３及びフットボード４４を連結しベッドとした実施形態である。【００２７】以上、本発明の実施する為の最良の形態を図により説明したが、本発明の具体的な構成は、図示の実施する為の最良の形態に限定されるものではなく、本発明の要旨の範囲内においての設計変更は本発明に含まれる。
【図面の簡単な説明】
【図１】本発明の合成樹脂製ベッド兼用収納ケースの実施形態を示す全体斜視図である。
【図２】本発明の合成樹脂製ベッド兼用収納ケースの他の実施形態を示す全体斜視図である。
【図３】本発明の合成樹脂製ベッド兼用収納ケースの実施形態を示す分解斜視図である。
【図４】本発明の連結途中の要部を示す部分縦断面斜視図である。
【図５】本発明の合成樹脂製ベッド兼用収納ケースの他の実施形態を示す分解斜視図である。
【図６】本発明の合成樹脂製ベッド兼用収納ケースの他の実施形態を示す分解斜視図である。
【図７】本発明の他の実施形態の連結途中の要部を示す部分横断面斜視図である。
【図８】本発明の付属ヘッドボードの実施形態を示す全体斜視図である。
【図９】本発明の付属フットボード実施形態を示す全体斜視図である。
【図１０】本発明の合成樹脂製ベッド兼用収納ケースを複数個とヘッドボード及びフットボードを連結してベッドとした実施形態を示す全体斜視図である。
【図１１】従来例を示す全体斜視図
【図１２】従来例を示す全体斜視図
【符号の説明】
１  引出しユニット
２  上蓋ユニット
３  高さ調整アジャスター
１１  引出しユニット
１２  中央板部
３０  合成樹脂製ベッド兼用収納ケース
３１  収納ケース
３２  引出し部
３３  天板
３４  側板
３５  底板
３６  支柱
３７  リブ
３８  扁平状の凸部
３９  連結突起
４０  連結孔
４１  連結溝
４２  連結レール
４３  ヘッドボード
４４  フットボード
Ｌ１  収納ケースの奥行き寸法
Ｌ２  ヘッドボード及びフットボードの長辺寸法
【図１】
2005193051.tif 000003
【図２】
2005193051.tif 000004
【図３】
2005193051.tif 000005
【図４】
2005193051.tif 000006
【図５】
2005193051.tif 000007
【図６】
2005193051.tif 000008
【図７】
2005193051.tif 000009
【図８】
2005193051.tif 000010
【図９】
2005193051.tif 000011
【図１０】
2005193051.tif 000012
【図１１】
2005193051.tif 000013
【図１２】
2005193051.tif 000014